(57)【要約】      （修正有）【課題】こぶ付紐の使用に際し、余った先端部分を容易に固定できる固定具を提供する。【解決手段】長さ方向に連続する環状体１０と環状体２０の２つの環状体から構成され、環状体に形成される各孔１１、２１の径はこぶ部の径より小さく、少なくとも１つの環状体は、中間部を挿入可能な切欠き部４０を有するＣ字形形状とする。【選択図】図１
2018117767.tif 000002
【特許請求の範囲】
【請求項１】
軸線方向に間隔を置いて配置される球状又は紡錘状のこぶ部と前記こぶ部同士を連結する中間部とからなるこぶ付紐の先端部分を固定するための先端固定具であって、
前記先端固定具は、
長さ方向に連続する２つの環状体から構成され、前記環状体に形成される孔の径は前記こぶ部の径より小さく、
少なくとも１つの前記環状体は、前記こぶ付紐の前記中間部を前記孔に挿入可能な切欠き部を有するＣ字形状である、
ことを特徴とするこぶ付紐用の先端固定具。
【請求項２】
２つの前記環状体は、環を構成する平面同士が９０度ずれた関係にある、
ことを特徴とするこぶ請求項１に記載のこぶ付紐用の先端固定具。
【請求項３】
２つの前記環状体は、一体に成形された合成樹脂製である、
ことを特徴とするこぶ請求項１又は２に記載のこぶ付紐用の先端固定具。
【請求項４】
前記切欠き部を有する前記環状体は、前記切欠き部の両側から突出する挿入部が形成され、前記挿入部の開口幅は前記切欠き部の開口幅より大きく、前記切欠き部から前記挿入部までの開口形状は徐々に拡がるラッパ状である、
ことを特徴とするこぶ請求項１ないし３のいずれか１項に記載のこぶ付紐用の先端固定具。
【発明の詳細な説明】
【技術分野】
【０００１】
本発明は、こぶ付紐に用いる先端固定具に関する。
【背景技術】
【０００２】
軸線方向に間隔を置いて配置される球状又は紡錘状のこぶ部と前記こぶ部同士を連結する中間部とからなるこぶ付紐は、結び目を必要としない紐として、例えば特許文献１に例示されるよう、従来から知られている（図６参照）。具体的には、ゴムなどの弾性細紐と非伸縮繊維とを疎密に編みこんだ疎の部分でこぶ部を構成し、密に編み込んだ部分でこぶ部同士を連結する中間部から構成されるものである。
【０００３】
図７は、こぶ付紐を靴紐に適用した斜視図である。靴紐として使用する際は、靴に形成された紐穴に挿通して装着する。紐に張力を加えていない自然状態ではこぶ部の径は紐穴より大きいが、紐を強く引っ張ることでこぶ部が弾性変形して紐穴を貫通し、貫通後、張力を開放するとこぶ部が自然状態に復元して紐穴に引っかかる状態となるため、紐による締付け具合の緩みが生じないようになっている。靴を履く際、或いは靴を脱ぐ際は、こぶ部が弾性変形することで靴全体も弾性変化するため、いちいち紐を結んだり緩めたりする必要が無い。
【先行技術文献】
【特許文献】
【０００４】
【特許文献１】特開２０１４−１２９０９号公報
【発明の概要】
【発明が解決しようとする課題】
【０００５】
こぶ付紐を靴紐として使用する場合、その長さに余裕を持たせているため、靴に形成された紐穴に挿通して装着した状態では、その先端側が靴からぶらぶらと突出した状態となる（図７参照）。このため使用者は、紐の先端側を既に靴に装着している部分の裏側（靴と紐との間）に差し込み、邪魔にならないよう挿入固定している。
【０００６】
しかしながら、紐の先端側を既に靴に挿通している部分に単に差し込んだだけでは容易に外れてしまい、その都度また先端側を差し込む作業を行わなければならず、非常に煩わしく、さらに先端側を靴側に差し込んだ様子は、見た目が悪い印象を与えていた。
【０００７】
また使用者によっては、余った先端部分を切断し適宜な長さに調整しているが、その場合、切断箇所が解けないようにテープや接着剤等によって特別な処理を施す必要があった。
【課題を解決するための手段】
【０００８】
本件発明は、こぶ付紐の使用に際して生じる上記課題を解決するため、軸線方向に間隔を置いて配置される球状又は紡錘状のこぶ部と前記こぶ部同士を連結する中間部とからなるこぶ付紐用の先端固定具であって、前記先端固定具は、長さ方向に連続する２つの環状体から構成され、前記環状体に形成される孔の径は前記こぶ部の径より小さく、少なくとも１つの前記環状体は、前記こぶ付紐の前記中間部を前記孔に挿入可能な切欠き部を有するＣ字形状である、ことを特徴とする。
【発明の効果】
【０００９】
上記構成を有する本願発明に係る先端固定具によれば、こぶ付紐を靴紐等として使用する際、先端側の余った紐に一方の環状体を挿入し、切欠き部を有する他方の環状体を、既に靴に装着されている紐の中間部に装着することにより、先端側の余った部分をぶらぶら突出した状態とならないように、簡単に靴側に固定することができる。
【図面の簡単な説明】
【００１０】
【図１】本願発明の実施形態に係るこぶ付紐用の先端固定具の全体斜視図
【図２】先端固定具の一方側面図
【図３】先端固定具の他方側面図
【図４】先端固定具を余ったこぶ付紐の先端側に取付けた様子を示す図
【図５】先端固定具によってこぶ付紐の先端側を既に靴に装着済みの中間部に固定した様子を示す図
【図６】こぶ付紐の外観斜視図
【図７】こぶ付紐を靴に使用する際の従来の先端側状態を示す図
【発明を実施するための形態】
【００１１】
以下、本発明の実施形態について図１〜５を用いて詳細に説明する。なお、本発明はこれらの実施形態に限定されるものではなく、その要旨を逸脱しない範囲内において、様々な態様で実施し得る。
【００１２】
図１は、本願発明に係るこぶ付紐用の先端固定具１の具体的実施形態の一例を示す斜視図である。図中１０、２０は、それぞれ孔１１、２１を有する環状体１０、２０であり、先端固定具１の長さ方向に連続して合成樹脂により一体形成されている。
【００１３】
図２、３は、先端固定具１を二方向から見た側面図であり、当該側面図に示すとおり、環状体１０と環状体２０とは、環を構成する平面同士が９０度ずれた関係にある。９０度位置をずらしている理由は、後述する本先端固定具１の使用方法において説明する。
【００１４】
各環状体１０、２０に形成されたそれぞれの孔１１、２１は、こぶ付紐の中間部が挿通される部分であり、各孔１１、１２の径はこぶ付紐のこぶ部の径よりも小さく構成されている。
【００１５】
図１、図３に示すとおり、一方の環状体２０は、その孔２１の一部に切欠き部４０を有しており、この切欠き部４０によって外部と連通するＣ字形状となっている。こぶ付紐の中間部は、当該切欠き部４０から孔２１内に挿入されるものであるが、この中間部が孔２１内にスムーズに挿入できるように、切欠き部４０の両側から突出する挿入部３０が形成され、挿入部３０の開口部５０の開口幅は切欠き部４０の開口幅より大きく、切欠き部４０から開口部５０までの開口形状は徐々に拡がるラッパ状となっている。
【００１６】
以上の構成を有する先端固定具１の使用方法について説明する。使用者はこぶ付紐を靴に装着した後、図４に示すとおり、余分な紐の先端部分に先端固定具１の一方の環状体１０に形成された孔１１を挿入させ、少なくとも１個のこぶ部を通過した後の中間部に取付ける。こぶ付紐のこぶ部はその弾性変形によって孔１１を通過するものであるが、こぶ部を２個以上通過させた方が、使用状態において先端固定具１がこぶ付紐から外れにくくなることは言うまでもない。
【００１７】
その後、使用者は、こぶ付紐の先端部分に取付けられた先端固定具１を指で掴みながら、図５に示す状態となるよう、他方の環状体２０の開口部５０から切欠き部４０を通して孔２１内に靴に装着されているこぶ付紐の中間部を挿入する。この挿入動作の際、切欠き部４０から開口部５０までの開口形状は徐々に拡がるラッパ状となっているため、挿入動作を楽に確実に行えるようになっている。
【００１８】
こぶ付紐の中間部は、弾性変形可能な素材であっても、或いはそうでなくてもどちらでも良い。環状体２０はＣ字形状であり、また樹脂製であることから、環状体２０の切欠き部４０はある程度拡大変形可能であり、こぶ付紐の中間部が弾性変形しない素材であっても、切欠き部４０の拡大変形によって、中間部を孔２１内に挿入させることができる。なお、切欠き部４０の開口幅は、こぶ付紐の中間部をある程度容易に挿入でき、かつ容易に抜け出すことが無い程度の大きさとすれば良い。
【００１９】
また、環状体１０と環状体２０とは、前記のとおり環を構成する平面同士が９０度ずれた関係にあるため、こぶ付紐の先端側に環状体１０側を取付けた状態で先端固定具を指で摘まむと、他方の環状体２０が使用者側から図３に示すような平面状態に見えるため、使用者が環状体２０をこぶ付紐の中間部にスムーズに挿入し易くなる。さらに、環状体１０と環状体２０とが９０度ずれた関係にあると、こぶ付紐の先端側を靴側に固定した状態が図５に示すような状態となるため、余った先端部分を見た目もすっきりと固定することができる。
【００２０】
一方の先端側の固定作業が終わったら、他方の先端側も同様の操作によって、靴側に固定する。
【００２１】
以上、本願発明の一つの実施形態の例を説明したが、本願発明は上記実施形態に限定されるものではない。例えば上記実施形態では、環状体１０と環状体２０とを合成樹脂により一体成形しているが、それぞれ別体に形成し、また互いに回転可能な関係に構成してもよく、材質は金属製やその他の材料であっても良い。
【００２２】
また上記実施形態では、一方の環状体のみ切欠き部を形成したＣ字形状としたが、両方の環状体ともに切欠き部を有するＣ字形状としても良い。
【００２３】
さらに上記実施形態では、環状体１０と環状体２０とは環を構成する平面同士が９０度ずれた関係にしているが、同じ平面であっても良く、また例えば２０度、４５度等の所定角度を有する位置関係としても良い。
【００２４】
以上のとおり本願発明に係る先端固定具によれば、こぶ付紐の使用に際し、余分な先端部分を、ぶらぶらと突出した状態から既に靴に装着されている紐に対して簡単かつ強固に連結することができる。
【符号の説明】
【００２５】
１    先端固定具
１０、２０  環状体
１１、２１  孔
３０  挿入部
４０  切欠き部
５０  開口部
【図１】
2018117767.tif 000003
【図２】
2018117767.tif 000004
【図３】
2018117767.tif 000005
【図４】
2018117767.tif 000006
【図５】
2018117767.tif 000007
【図６】
2018117767.tif 000008
【図７】
2018117767.tif 000009
【手続補正書】
【提出日】平成29年5月12日(2017.5.12)
【手続補正１】
【補正対象書類名】特許請求の範囲
【補正対象項目名】請求項１
【補正方法】変更
【補正の内容】
【請求項１】
軸線方向に間隔を置いて配置される球状又は紡錘状のこぶ部と前記こぶ部同士を連結する中間部とからなるこぶ付紐の先端部分を固定するための先端固定具であって、
前記先端固定具は、
長さ方向に連続する２つの環状体から構成され、前記環状体に形成される孔の径は前記こぶ部の径より小さく、
一方の前記環状体は、前記こぶ付紐の前記中間部を前記孔に挿入可能な切欠き部を有するＣ字形状であり、
他方の前記環状体は、前記こぶ付紐の前記中間部に装着される閉鎖した環状体である、
ことを特徴とするこぶ付紐用の先端固定具。
【手続補正２】
【補正対象書類名】明細書
【補正対象項目名】０００８
【補正方法】変更
【補正の内容】
【０００８】
本件発明は、こぶ付紐の使用に際して生じる上記課題を解決するため、軸線方向に間隔を置いて配置される球状又は紡錘状のこぶ部と前記こぶ部同士を連結する中間部とからなるこぶ付紐用の先端固定具であって、前記先端固定具は、長さ方向に連続する２つの環状体から構成され、前記環状体に形成される孔の径は前記こぶ部の径より小さく、一方の前記環状体は、前記こぶ付紐の前記中間部を前記孔に挿入可能な切欠き部を有するＣ字形状であり、他方の前記環状体は、前記こぶ付紐の前記中間部に装着される閉鎖した環状体である、ことを特徴とする。
【手続補正３】
【補正対象書類名】明細書
【補正対象項目名】００１５
【補正方法】変更
【補正の内容】
【００１５】
図１、図３に示すとおり、一方の環状体２０は、その孔２１の一部に切欠き部４０を有しており、この切欠き部４０によって外部と連通するＣ字形状となっており、他方の環状体１０は閉鎖した環状体である。一方の環状体２０に挿入されるこぶ付紐の中間部は、当該切欠き部４０から孔２１内に挿入されるものであるが、この中間部が孔２１内にスムーズに挿入できるように、切欠き部４０の両側から突出する挿入部３０が形成され、挿入部３０の開口部５０の開口幅は切欠き部４０の開口幅より大きく、切欠き部４０から開口部５０までの開口形状は徐々に拡がるラッパ状となっている。
【手続補正４】
【補正対象書類名】明細書
【補正対象項目名】００１６
【補正方法】変更
【補正の内容】
【００１６】
以上の構成を有する先端固定具１の使用方法について説明する。使用者はこぶ付紐を靴に装着した後、図４に示すとおり、余分な紐の先端部分に先端固定具１の環状体１０に形成された孔１１を挿入させ、少なくとも１個のこぶ部を通過した後の中間部に取付ける。こぶ付紐のこぶ部はその弾性変形によって孔１１を通過するものであるが、こぶ部を２個以上通過させた方が、使用状態において先端固定具１がこぶ付紐から外れにくくなることは言うまでもない。
【手続補正５】
【補正対象書類名】明細書
【補正対象項目名】００１７
【補正方法】変更
【補正の内容】
【００１７】
その後、使用者は、こぶ付紐の先端部分に取付けられた先端固定具１を指で掴みながら、図５に示す状態となるよう、環状体２０の開口部５０から切欠き部４０を通して孔２１内に靴に装着されているこぶ付紐の中間部を挿入する。この挿入動作の際、切欠き部４０から開口部５０までの開口形状は徐々に拡がるラッパ状となっているため、挿入動作を楽に確実に行えるようになっている。